(57)【要約】  映像信号を補正した補正映像信号を出力するルックアップテーブル（６０）と、補正映像信号または非補正映像信号を取り込んで映像を表示する表示部（７０）と、非補正映像信号を取り込んだ表示部（７０）が表示する非画質補正画像の光束を受光して補正前画質特性値を検出する画質特性検出部（１０）と、複数種類のプロファイルデータを記憶する目標画質特性記憶部（３０）と、目標画質特性記憶部（３０）から一種類のプロファイルデータを選択して取得する目標画質特性取得部（４０）と、補正前画質特性値と取得したプロファイルデータとに基づいて補正データを生成し、この補正データをルックアップテーブル（６０）に記憶領域を区分して書き込む補正データ生成部（５０）とを備えた。
2012073341.tif 000002
【特許請求の範囲】
【請求項１】
映像信号を補正した補正映像信号を出力するルックアップテーブルと、
前記ルックアップテーブルが出力する前記補正映像信号、および非補正映像信号を取り込んで映像を表示する表示部と、
前記非補正映像信号を取り込んだ前記表示部が表示する非画質補正画像に基づいて補正前画質特性値を取得する補正前画質特性取得部と、
複数種類の目標画質特性値を記憶する目標画質特性記憶部と、
前記目標画質特性記憶部から前記複数種類の目標画質特性値のうち一種類の目標画質特性値を選択して取得する目標画質特性取得部と、
前記補正前画質特性取得部が取得した前記補正前画質特性値と前記目標画質特性取得部が取得した前記一種類の目標画質特性値とに基づいて前記映像信号を補正するための補正データを生成し、この補正データを前記ルックアップテーブルに記憶領域を区分して書き込む補正データ生成部と、
を備えることを特徴とする表示装置。
【請求項２】
前記補正前画質特性取得部は、
前記非画質補正画像の光束を受光して前記補正前画質特性値を検出する画質特性検出部
を含むことを特徴とする請求項１記載の表示装置。
【請求項３】
前記補正前画質特性値は、前記非画質補正画像の輝度対階調データであり、
前記複数種類の目標画質特性値それぞれは、目標画質に対応する輝度対階調データである
ことを特徴とする請求項１または２記載の表示装置。
【請求項４】
表示部が、非補正映像信号を取り込んで非画質補正画像を表示する第１ステップと、
補正前画質特性取得部が、前記表示部が表示する前記非画質補正画像に基づいて補正前画質特性値を取得する第２ステップと、
目標画質特性取得部が、複数種類の目標画質特性値を記憶する目標画質特性記憶部から一種類の目標画質特性値を選択して取得する第３ステップと、
前記第２ステップにおいて前記補正前画質特性取得部が検出した前記補正前画質特性値と前記第３ステップにおいて前記目標画質特性取得部が取得した前記一種類の目標画質特性値とに基づいて映像信号を補正するための補正データを生成し、この補正データをルックアップテーブルに記憶領域を区分して書き込む第４ステップと、
を有することを特徴とする表示装置の校正方法。
【発明の詳細な説明】
【技術分野】
【０００１】
本発明は、表示装置および表示装置の校正方法に関する。
【背景技術】
【０００２】
従来、特性が異なる複数の画質特性プロファイルデータを記憶し、これら画質特性プロファイルデータのうちいずれかを設定して動作する液晶パネル表示装置が知られている。この液晶パネル表示装置は、表示に適用する画質特性プロファイルデータを、ユーザによる操作ボタンの操作によって選択し設定する。よって、ユーザは、用途や目的等に応じて画質特性プロファイルデータを切り替えて液晶パネル表示装置を使用することができる。【０００３】
このような液晶パネル表示装置は、長期間の使用に伴い、例えば液晶パネルの経時劣化等によって画質特性が変化することがある。よって、高品位な表示画質を保つためには、液晶パネル表示装置の画質設定を校正する必要がある。
従来、蛍光体の経時劣化による輝度変化に対応してホワイトバランス調整を行う表示装置が知られている（例えば、特許文献１参照）。
【先行技術文献】
【特許文献】
【０００４】
【特許文献１】特開２００７−２７４１２４号公報
【発明の概要】
【発明が解決しようとする課題】
【０００５】
しかしながら、従来の表示装置では、画質特性プロファイルデータごとに表示を切り替えて画質を校正する必要があり、画質の校正作業は手間がかかるものであり煩雑であった。
そこで、本発明は、上記課題を解決するためになされたものであり、長期間の使用に伴って変化した画質を簡便に校正することができる、表示装置および表示装置の校正方法を提供するものである。
【課題を解決するための手段】
【０００６】
［１］上記の課題を解決するため、本発明の一態様である表示装置は、映像信号を補正した補正映像信号を出力するルックアップテーブルと、前記ルックアップテーブルが出力する前記補正映像信号、および非補正映像信号を取り込んで映像を表示する表示部と、前記非補正映像信号を取り込んだ前記表示部が表示する非画質補正画像に基づいて補正前画質特性値を取得する補正前画質特性取得部と、複数種類の目標画質特性値を記憶する目標画質特性記憶部と、前記目標画質特性記憶部から前記複数種類の目標画質特性値のうち一種類の目標画質特性値を選択して取得する目標画質特性取得部と、前記補正前画質特性取得部が取得した前記補正前画質特性値と前記目標画質特性取得部が取得した前記一種類の目標画質特性値とに基づいて前記映像信号を補正するための補正データを生成し、この補正データを前記ルックアップテーブルに記憶領域を区分して書き込む補正データ生成部と、を備えることを特徴とする。
［２］上記［１］記載の表示装置において、前記補正前画質特性取得部は、前記非画質補正画像の光束を受光して前記補正前画質特性値を検出する画質特性検出部を含むことを特徴とする。
［３］上記［１］または［２］記載の表示装置において、前記補正前画質特性値は、前記非画質補正画像の輝度対階調データであり、前記複数種類の目標画質特性値それぞれは、目標画質に対応する輝度対階調データであることを特徴とする。【０００７】
［４］上記の課題を解決するため、本発明の一態様である表示装置の校正方法は、表示部が、非補正映像信号を取り込んで非画質補正画像を表示する第１ステップと、補正前画質特性取得部が、前記表示部が表示する前記非画質補正画像に基づいて補正前画質特性値を取得する第２ステップと、目標画質特性取得部が、複数種類の目標画質特性値を記憶する目標画質特性記憶部から一種類の目標画質特性値を選択して取得する第３ステップと、前記第２ステップにおいて前記補正前画質特性取得部が検出した前記補正前画質特性値と前記第３ステップにおいて前記目標画質特性取得部が取得した前記一種類の目標画質特性値とに基づいて映像信号を補正するための補正データを生成し、この補正データをルックアップテーブルに記憶領域を区分して書き込む第４ステップと、を有することを特徴とする。
【発明の効果】
【０００８】
本発明によれば、長期間の使用に伴って変化した画質を簡便に校正することができる。
【図面の簡単な説明】
【０００９】
【図１】本発明の一実施形態である表示装置の機能構成を表すブロック図である。
【図２】同実施形態における表示部の画質の校正処理の手順を表すフローチャートである。
【図３】同実施形態における輝度対階調データをグラフ化した図である。
【発明を実施するための形態】
【００１０】
以下、本発明を実施するための形態について、図面を参照して詳細に説明する。
図１は、本発明の一実施形態である表示装置の機能構成を表すブロック図である。同図に示すように、表示装置１は、外部の映像信号発生装置から供給される映像信号を取り込んで映像を表示する装置である。映像信号は、例えば、赤色・緑色・青色（ＲＧＢ）各１２ビットのデータである。
表示装置１は、補正前画質特性記憶部２０と、目標画質特性記憶部３０と、目標画質特性取得部４０と、補正データ生成部５０と、ルックアップテーブル６０と、表示部７０と、操作部８０と、制御部９０とを備える。
【００１１】
図１において、表示装置１には画質特性検出部１０が接続されている。画質特性検出部１０は、例えば光学センサであり、その受光部側を表示部７０の表示面に対向して設けた状態で画質特性値を検出する。画質特性値は、表示部７０の画質特性を表すデータであり、例えば、ガンマ特性を表す輝度対階調データ、表示画像における白色点（ホワイトポイント）の座標値、色域におけるＲＧＢの各色度座標値である。本実施形態では、画質特性検出部１０は、表示部７０が表示する非画質補正画像の光束の一部を受光して補正前画質特性値を検出する。非画質補正画像は、画質の補正を行っていない状態で表示部７０に表示される画像である。よって、補正前画質特性値は、画質を補正する前の画質特性値である。
画質特性検出部１０は、表示装置１の画質の校正を行うときに設けられるものとしてもよいし、表示部７０が発光する光束の一部を常に受光可能に設けられるものとしてもよい。
【００１２】
表示部７０は、ルックアップテーブル６０から供給される、補正された映像信号（補正映像信号）または補正されない映像信号（非補正映像信号）を取り込んで映像を表示する。表示部７０は、画像を表示する表示パネルを含むものであり、例えば、液晶表示パネル、ＰＤＰ（Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）表示パネル等を含んで実現される。なお、表示部７０は、Ｄ／Ａ（デジタル／アナログ）変換回路とＣＲＴ（Ｃａｔｈｏｄｅ  Ｒａｙ  Ｔｕｂｅ）とを含んで実現されるものであってもよい。
【００１３】
表示部７０は、長期間にわたって映像を表示することにより、表示パネルやＣＲＴの劣化が発生して画質特性が変化することがある。よって、表示装置１は、表示部７０の画質特性が変化する可能性がある使用期間を経過するたびに、画質の校正処理が実施される。本実施形態では、当該使用期間を例えば１０００時間とする。
【００１４】
補正前画質特性記憶部２０は、画質特性検出部１０が検出する補正前画質特性値を取り込んで記憶する。例えば、補正前画質特性記憶部２０は、画質特性検出部１０が検出する非画質補正画像の輝度対階調データを取り込んで記憶する。補正前画質特性記憶部２０は、例えば半導体記憶装置により実現される。
画質特性検出部１０と補正前画質特性記憶部２０とは、補正前画質特性取得部を構成するものである。
【００１５】
目標画質特性記憶部３０は、複数種類の画質特性を表す目標画質特性値を記憶する。目標画質特性値は、表示部７０の補正される画質特性の目標値であり、例えば、ガンマ特性を表す輝度対階調データ、表示画像における白色点の座標値、色域におけるＲＧＢの各色度座標値である。図１においては、目標画質特性記憶部３０は、三種類の画質特性を表す目標画質特性値をプロファイルデータ３１ａ，３１ｂ，３１ｃとして記憶する。例えば、目標画質特性記憶部３０は、印刷プレビューに適した画質特性を示す輝度対階調データをプロファイルデータ３１ａとして記憶し、ビデオカメラによる撮影映像の表示に適した画質特性を示す輝度対階調データをプロファイルデータ３１ｂとして記憶し、テキスト表示に適した画質特性を示す輝度対階調データをプロファイルデータ３１ｃとして記憶する。
なお、目標画質特性記憶部３０は、ユーザによって定義されたプロファイルデータを記憶するようにしてもよい。
【００１６】
目標画質特性取得部４０は、制御部９０の制御によって選択される一種類の目標画質特性値を目標画質特性記憶部３０から読み込んで保持する。すなわち、図１においては、目標画質特性取得部４０は、目標画質特性記憶部３０に記憶された輝度対階調データを含むプロファイルデータ３１ａ，３１ｂ，３１ｃの中から制御部９０の制御によって選択される一種類のプロファイルデータを読み込んで保持する。
【００１７】
補正データ生成部５０は、補正前画質特性記憶部２０から補正前画質特性値を読み込む。また、補正データ生成部５０は、目標画質特性取得部４０から目標画質特性値を一種類ずつ取り込む。補正データ生成部５０は、補正前画質特性記憶部２０から読み込んだ補正前画質特性値と、目標画質特性記憶部３０から順次取り込む目標画質特性値とに基づいて、補正データを順次生成し、補正データをルックアップテーブル６０に重複しないように記憶領域を区分して書き込む。
【００１８】
例えば、補正データ生成部５０は、補正前画質特性記憶部２０から補正前画質特性値である輝度対階調データを読み込み、目標画質特性取得部４０から輝度対階調データを含むプロファイルデータ３１ａを取り込む。そして、補正データ生成部５０は、読み込んだ輝度対階調データと取り込んだプロファイルデータ３１ａとに基づいて、印刷プレビューに適した画質特性に補正するための第１の補正データを生成し、この第１の補正データをルックアップテーブル６０に書き込む。
また、補正データ生成部５０は、目標画質特性取得部４０から輝度対階調データを含むプロファイルデータ３１ｂを取り込む。そして、補正データ生成部５０は、補正前画質特性記憶部２０から既に読み込んである輝度対階調データと取り込んだプロファイルデータ３１ｂとに基づいて、ビデオカメラによる撮影映像の表示に適した画質特性に補正するための第２の補正データを生成し、この第２の補正データをルックアップテーブル６０の第１の補正データの記憶領域とは異なる領域に書き込む。
また、補正データ生成部５０は、目標画質特性取得部４０から輝度対階調データを含むプロファイルデータ３１ｃを取り込む。そして、補正データ生成部５０は、補正前画質特性記憶部２０から既に読み込んである輝度対階調データと取り込んだプロファイルデータ３１ｃとに基づいて、テキスト表示に適した画質特性に補正するための第３の補正データを生成し、この第３の補正データをルックアップテーブル６０の第１および第２の補正データの記憶領域とは異なる領域に書き込む。
補正データ生成部５０が補正データを生成する処理の具体例については後述する。
【００１９】
ルックアップテーブル６０は、補正データ生成部５０が書き込んだ補正データによって映像信号を補正する映像信号補正部であり、例えばフラッシュメモリ（Ｆｌａｓｈ  Ｍｅｍｏｒｙ）等の半導体記憶装置によって実現される。ルックアップテーブル６０は、映像信号のデータをアドレス入力とし、アドレス指定されたデータ領域に記憶された補正データを補正映像信号として出力し表示部７０に供給する。ルックアップテーブル６０に記憶された補正データ（例えば、第１−第３の補正データ）のうち補正に使用する補正データの記憶領域は、制御部９０の制御によって指定される。制御部９０は、例えばアドレスデコード処理によって記憶領域を指定する。
また、ルックアップテーブル６０は、映像信号を補正しない非補正データをあらかじめ記憶しており、制御部９０によるアドレスデコード処理によって非補正映像信号を出力することもできる。
【００２０】
操作部８０は、複数の操作ボタンを具備し、これら操作ボタンの操作に応じてキーコードを発生し制御部９０に供給する。操作ボタンは、例えば、表示装置１の電源を入切するための電源オン／オフボタン、表示装置１の各種設定値を変更するためのＯＳＤ（Ｏｎ  Ｓｃｒｅｅｎ  Ｄｉｓｐｌａｙ）メニューを表示させ、このＯＳＤメニューから所望の項目を選択するための設定値変更用ボタン、ＯＳＤメニュー上のカーソルを移動させたり、設定値を増減したりするための移動指示ボタンである。
【００２１】
ＯＳＤメニューは、表示部７０の画質の校正処理を開始させるための画質校正処理開始タブを含む。また、ＯＳＤメニューは、プロファイルデータ３１ａ，３１ｂ，３１ｃに対応させてルックアップテーブル６０に設定した第１−第３の補正データのうちいずれかを選択させるための三つのプロファイル選択タブを有するプロファイル選択メニューを含む。また、ＯＳＤメニューは、ユーザに定義させたプロファイルデータを目標画質特性記憶部３０に新たに登録（記憶）したり、既に登録されているプロファイルデータ３１ａ，３１ｂ，３１ｃの内容を変更したり、ユーザ定義用のプロファイルデータを削除したりするためのプロファイルデータの編集メニューを含む。
【００２２】
制御部９０は、それぞれ図示しない、ＣＰＵ（Ｃｅｎｔｒａｌ  Ｐｒｏｃｅｓｓｉｎｇ  Ｕｎｉｔ）とＲＡＭ（Ｒａｎｄｏｍ  Ａｃｃｅｓｓ  Ｍｅｍｏｒｙ）とＲＯＭ（Ｒｅａｄ  Ｏｎｌｙ  Ｍｅｍｏｒｙ）とを含んで構成され、ＲＯＭに記憶されたプログラムをＣＰＵがＲＡＭに読み出して実行することによって、表示装置１の各部を制御する。
【００２３】
例えば、操作部８０の設定値変更用ボタンが押されたことにより設定値変更用ボタンのキーコードが制御部９０に供給されると、制御部９０は、ＲＯＭからＯＳＤメニューを読み出して表示部７０に表示させる。また、ＯＳＤメニューが表示された状態で、操作部８０の移動指示ボタンが押されたことにより移動指示ボタンのキーコードが制御部９０に供給されると、制御部９０は、カーソルをキーコードに応じて移動させて表示させたり、現在カーソルが示している項目の値をキーコードに応じて増加または減少させたりする。また、ＯＳＤメニューが表示され、カーソルが画質校正処理開始タブを示した状態で、操作部８０の設定値変更用ボタンが押されたことにより設定値変更用ボタンのキーコードが制御部９０に供給されると、制御部９０は、表示部７０の画質の校正処理を開始する。また、プロファイル選択メニューが表示され、カーソルが所望のプロファイル選択タブを示した状態で、操作部８０の設定値変更用ボタンが押されたことにより設定値変更用ボタンのキーコードが制御部９０に供給されると、制御部９０は、当該プロファイル選択タブに対応する補正データの記憶領域をルックアップテーブル６０に対して読み出し可能に指定する。
【００２４】
次に、本実施形態である表示装置１が表示部７０の画質を校正する動作について説明する。図２は、表示装置１の表示部７０の画質の校正処理の手順を表すフローチャートである。約１０００時間の使用期間が経過した表示装置１について、この校正処理は実行される。画質特性検出部１０が、その受光部側を表示部７０の表示面に対向させて設けられた状態で、表示装置１は、同図のフローチャートによる処理を実行する。
【００２５】
まず、ステップＳ１において、ＯＳＤメニューが表示部７０に表示され、カーソルが画質校正処理開始タブを示した状態で、操作部８０の設定値変更用ボタンが押されたことにより設定値変更用ボタンのキーコードが制御部９０に供給されると、制御部９０は、表示部７０の画質の校正処理を開始する。
【００２６】
次に、ステップＳ２において、制御部９０は、ルックアップテーブル６０の非補正データを読み出し可能に制御し、ルックアップテーブル６０から非補正映像信号を出力させる。次に、制御部９０は、画質特性検出部１０に補正前画質特性値の検出を指示する。次に、制御部９０は、画質特性検出部１０が検出した補正前画質特性値を補正前画質特性記憶部２０に記憶させる。例えば、制御部９０は、画質特性検出部１０が検出した非画質補正画像における輝度対階調データを補正前画質特性記憶部２０に記憶させる。
【００２７】
次に、ステップＳ３において、目標画質特性取得部４０は、制御部９０の制御によって目標画質特性記憶部３０に記憶された複数種類の目標画質特性値の中から一種類の目標画質特性値を選択して読み込み保持する。例えば、目標画質特性取得部４０は、制御部９０の制御によって目標画質特性記憶部３０に記憶された輝度対階調データを含むプロファイルデータ３１ａ，３１ｂ，３１ｃからプロファイルデータ３１ａを読み込んで保持する。
【００２８】
次に、ステップＳ４において、補正データ生成部５０は、補正前画質特性記憶部２０から補正前画質特性値を読み込み、目標画質特性取得部４０から目標画質特性値を取り込む。次に、補正データ生成部５０は、読み込んだ補正前画質特性値と取り込んだ目標画質特性値とに基づいて補正データを生成する。例えば、補正データ生成部５０は、補正前画質特性記憶部２０から補正前画質特性値である輝度対階調データを読み込み、目標画質特性取得部４０から輝度対階調データを含むプロファイルデータ３１ａを取り込む。次に、補正データ生成部５０は、読み込んだ輝度対階調データと取り込んだプロファイルデータ３１ａとに基づいて、印刷プレビューに適した画質特性に補正するための第１の補正データを生成する。
【００２９】
ここで、補正データ生成部５０が補正前画質特性値と目標画質特性値とに基づいて補正データを生成する具体例について説明する。
図３は、輝度対階調データをグラフ化した図である。同図に示すグラフは４象限図であり、そのうちの第１象限が目標画質特性を表し、第２象限が補正前画質特性を表し、第３象限がルックアップテーブル６０による補正画質特性を表す。第１象限の目標画質特性は、横軸が表示装置の入力階調であり、縦軸が表示部の輝度である。第２象限の補正前画質特性は、横軸が表示部の入力階調であり、縦軸が表示部の輝度である。第３象限の補正画質特性は、縦軸が補正ＬＵＴ（ルックアップテーブル）入力階調であり、横軸が補正ＬＵＴ出力階調である。
【００３０】
まず、手順Ａとして、補正データ生成部５０は、第１象限において表示装置入力階調値ｘを選択し、その表示装置入力階調値ｘに対応する目標輝度値ｙを求める。
次に、手順Ｂとして、補正データ生成部５０は、第２象限を適用して、目標輝度ｙに対応する表示部入力階調値ｘ’（シングルクォーテーション）を求める。
次に、手順Ｃとして、補正データ生成部５０は、表示装置入力階調値ｘを補正ＬＵＴ入力階調値ｘとし、この補正ＬＵＴ入力階調値ｘと表示部入力階調値ｘ’（シングルクォーテーション）との交点を補正データとして決定する。
補正データ生成部５０は、上記手順Ａから手順Ｃまでを全ての階調に対して繰り返し実行することによって、第３象限に示す補正画質特性を得ることができ、この第３象限の補正画質特性値をルックアップテーブル６０に設定する補正データとする。
【００３１】
次に、ステップＳ５において、補正データ生成部５０は、ステップＳ４の処理において生成した補正データをルックアップテーブル６０に書き込む。例えば、補正データ生成部５０は、生成した第１の補正データをルックアップテーブル６０に書き込む。
【００３２】
次に、ステップＳ６において、制御部９０は、目標画質特性記憶部３０に他の目標画質特性値が記憶されているか否かを判定する。そして、制御部９０は、目標画質特性記憶部３０に他の目標画質特性値が記憶されていると判定した場合は、ステップＳ３の処理に戻る。一方、制御部９０は、目標画質特性記憶部３０に他の目標画質特性値が記憶されていないと判定した場合は、本フローチャートの処理を終了する。
【００３３】
２回目のステップＳ３において、目標画質特性取得部４０は、制御部９０の制御によって目標画質特性記憶部３０に記憶された残りの種類の目標画質特性値の中から一種類の目標画質特性値を選択して読み込み保持する。例えば、目標画質特性取得部４０は、制御部９０の制御によって目標画質特性記憶部３０に記憶された輝度対階調データを含む残りのプロファイルデータ３１ｂ，３１ｃからプロファイルデータ３１ｂを読み込んで保持する。
【００３４】
次に、２回目のステップＳ４において、補正データ生成部５０は、目標画質特性取得部４０から目標画質特性値を取り込む。次に、補正データ生成部５０は、ステップＳ２の処理において既に読み込んである補正前画質特性値と本ステップＳ４において取り込んだ目標画質特性値とに基づいて補正データを生成する。例えば、補正データ生成部５０は、目標画質特性取得部４０から輝度対階調データを含むプロファイルデータ３１ｂを取り込む。次に、補正データ生成部５０は、既に読み込んである輝度対階調データと取り込んだプロファイルデータ３１ｂとに基づいて、ビデオカメラによる撮影映像の表示に適した画質特性に補正するための第２の補正データを生成する。
【００３５】
次に、２回目のステップＳ５において、補正データ生成部５０は、２回目のステップＳ４の処理において生成した補正データを、ルックアップテーブル６０の前回の書き込み領域とは異なる領域に書き込む。例えば、補正データ生成部５０は、生成した第２の補正データをルックアップテーブル６０の第１の補正データの記憶領域とは異なる領域に書き込む。
【００３６】
３回目以降のステップＳ３−Ｓ５の処理については、２回目のステップＳ３−Ｓ５の処理と同様であるため、その説明を省略する。
【００３７】
本発明の一実施形態によれば、例えば１０００時間等の使用期間が経過するごとに一回の画質校正処理を実行することにより、表示装置１は、画質特性検出部１０が検出した補正前画質特性値と目標画質特性記憶部３０に記憶された全ての目標画質特性値とに基づいて、ルックアップテーブル６０に設定された全てのプロファイルに対応する補正データを更新することができる。
よって、本実施形態である表示装置１によれば、長期間の使用に伴って変化した表示部７０の画質を、簡単な操作によって全てのプロファイルに対応して補正することができる。
【００３８】
なお、上述した実施形態である表示装置の一部の機能をコンピュータで実現するようにしてもよい。この場合、その機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳ（Ｏｐｅｒａｔｉｎｇ  Ｓｙｓｔｅｍ）や周辺装置のハードウェアを含むものである。また、「コンピュータ読み取り可能な記録媒体」とは、フレキシブルディスク、光磁気ディスク、光ディスク、メモリカード等の可搬型記録媒体、コンピュータシステムに内蔵される磁気ハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバ装置やクライアントとなるコンピュータシステム内部の揮発性メモリのように、一定時間プログラムを保持するものを含んでもよい。また上記のプログラムは、前述した機能の一部を実現するためのものであってもよく、さらに前述した機能をコンピュータシステムにすでに記録されているプログラムとの組み合わせにより実現するものであってもよい。
【００３９】
以上、本発明の実施の形態について図面を参照して詳述したが、具体的な構成はその実施形態に限られるものではなく、本発明の要旨を逸脱しない範囲の設計等も含まれる。
例えば、図２の校正手順では補正データの作成を行わず、補正前画質特性値の記憶だけを行うことが考えられる。この場合は、後日、特定のプロファイルデータが指定された時点で補正データを計算する。指定された時点とは、例えば、電源投入時やユーザによる画質設定変更時である。補正データを記憶するルックアップテーブルは、現在表示されているプロファイルデータの容量だけを有すればよい。このため、プロファイルデータの数が多くなった場合の、ルックアップテーブル数や計算時間等、実装コストを削減することができる。
【産業上の利用可能性】
【００４０】
本発明は、表示装置、例えば、表示パネルを含む直視型の表示装置、ＣＲＴを含む表示装置、投射型投影装置であるプロジェクタに利用可能である。
【符号の説明】
【００４１】
１  表示装置
１０  画質特性検出部
２０  補正前画質特性記憶部
３０  目標画質特性記憶部
３１ａ，３１ｂ，３１ｃ  プロファイルデータ
４０  目標画質特性取得部
５０  補正データ生成部
６０  ルックアップテーブル
７０  表示部
８０  操作部
９０  制御部
【図１】
2012073341.tif 000003
【図２】
2012073341.tif 000004
【図３】
2012073341.tif 000005
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
映像信号を受け取り、画像を表示する表示装置であって、
前記映像信号を補正した補正映像信号を出力する映像信号補正部と、
前記映像信号に基づいて非画質補正画像を表示し、前記補正映像信号に基づいて補正画像を表示する表示部と、
前記非画質補正画像に基づいて補正前画質特性値を取得する補正前画質特性取得部と、
少なくとも第１の目標画質特性値および第２の目標画質特性値を記憶する目標画質特性記憶部と、
前記補正前画質特性値と前記第１の目標画質特性値とに基づいて第１の補正データを生成し、前記補正前画質特性値と前記第２の目標画質特性値とに基づいて第２の補正データを生成する補正データ生成部と、を備え、
前記映像信号補正部は、前記第１の補正データまたは前記第２の補正データに基づいて前記映像信号を補正する
ことを特徴とする表示装置。
【請求項２】
前記目標画質特性記憶部から前記第１の目標画質特性値または前記第２の目標画質特性値を選択して取得する目標画質特性取得部をさらに備え、
前記第１の補正データは、前記第１の目標画質特性値が取得された時に生成され、前記第２の補正データは、前記第２の目標画質特性値が取得された時に生成される
ことを特徴とする請求項１記載の表示装置。
【請求項３】
前記補正前画質特性値は、前記非画質補正画像の輝度対階調データであり、
前記第１の目標画質特性値および前記第２の目標画質特性値はいずれも、目標画質に対応する輝度対階調データである
ことを特徴とする請求項１または２記載の表示装置。
【請求項４】
前記目標画質特性記憶部は、さらに、第３の目標画質特性値を記憶し、
前記映像信号補正部は、前記補正前画質特性値と前記第３の目標画質特性値とに基づいて第３の補正データを生成する
ことを特徴とする請求項１記載の表示装置。
【請求項５】
電源投入時または画質設定変更時に、前記第１の補正データまたは前記第２の補正データは生成される
ことを特徴とする請求項１または２記載の表示装置。
【請求項６】
映像信号を受け取るステップと、
前記映像信号に基づいて非画質補正画像を表示するステップと、
前記非画質補正画像に基づいて補正前画質特性値を取得するステップと、
少なくとも第１の目標画質特性値および第２の目標画質特性値を記憶するステップと、
前記補正前画質特性値と前記第１の目標画質特性値とに基づいて第１の補正データを生成するステップと、
前記補正前画質特性値と前記第２の目標画質特性値とに基づいて第２の補正データを生成するステップと、
前記第１の補正データまたは前記第２の補正データに基づいて前記映像信号を補正するステップと、
を有することを特徴とする表示装置の校正方法。
【国際調査報告】
2012073341.tif 000006
2012073341.tif 000007